(57)【特許請求の範囲】
【請求項１】
タッチ表示ユニットを含み、前記タッチ表示ユニットによってユーザのタッチ入力操作を受信する電子端末に応用されるロック解除方法であって、
前記電子端末がユーザインターフェースのロック状態にある場合、前記タッチ表示ユニットにおける操作体の操作を検出するステップと、
前記操作に応答し、前記タッチ表示ユニットに摺動軌跡を形成し、前記摺動軌跡の形成時間を記録するステップと、
前記摺動軌跡の距離を計算するステップと、
前記距離と前記時間に基づいて、前記摺動軌跡の形成速度を計算するステップと、
前記速度が所定速度以上であるかどうかを判断するステップと、
前記速度が前記所定速度以上である場合、前記ユーザインターフェースのロック状態を解除するステップと、を含む方法。
【請求項２】
前記タッチ表示ユニットに摺動軌跡を形成することは、前記タッチ表示ユニットに開始位置と終了位置を有する連続線を形成することを特徴とする
請求項１に記載の方法。
【請求項３】
前記電子端末は、タイミングユニットを更に備え、前記摺動軌跡の形成時間を記録することは、前記タイミングユニットが前記開始位置でタイミングを開始し、前記終了位置でカウントを停止することを特徴とする
請求項２に記載の方法。
【請求項４】
前記速度が前記所定速度より小さい場合、前記タイミングユニットをクリアし、前記摺動軌跡を消去して前記ユーザインターフェースのロック状態を維持するステップをさらに含むことを特徴とする
請求項３に記載の方法。
【請求項５】
前記摺動軌跡の距離を計算するステップは、
前記摺動軌跡における前記開始位置と前記終了位置が含まれるＭ個（Ｍは２以上かつ整数である）のタッチポイントの位置情報を取得するステップと、
前記Ｍ個のタッチポイントの位置情報に基づいて、前記Ｍ個のタッチポイントにおける隣接している２つのタッチポイントの間のサブ距離をそれぞれ計算し、Ｍ−１個の前記サブ距離を取得するステップと、
前記Ｍ−１個の前記サブ距離に基づいて、前記摺動軌跡の距離を取得するステップと、を含むことを特徴とする
請求項２に記載の方法。
【請求項６】
前記摺動軌跡におけるＭ個のタッチポイントの位置情報を取得するステップは、
前記タッチ表示ユニットに摺動軌跡を形成する場合、前記摺動軌跡をサンプリングし、前記Ｍ個のタッチポイントの位置情報を取得し、または、
前記摺動軌跡の距離を計算する場合、前記摺動軌跡をサンプリングし、前記Ｍ個のタッチポイントの位置情報を取得することを特徴とする
請求項５に記載の方法。
【請求項７】
ユーザのタッチ入力操作を受信するように構成されるタッチ表示ユニットを含む電子端末に応用されるロック解除装置であって、
前記電子端末がユーザインターフェースのロック状態にある場合、前記タッチ表示ユニットにおける操作体の操作を検出するように構成される検出ユニットと、
前記操作に応答し、前記タッチ表示ユニットに摺動軌跡を形成し、前記摺動軌跡の形成時間を記録するように構成される応答ユニットと、
前記摺動軌跡の距離を計算するように構成される第１計算ユニットと、
前記距離と前記時間に基づいて、前記摺動軌跡の形成速度を計算するように構成される第２計算ユニットと、
前記速度が所定速度以上であるかどうかを判断するように構成される判断ユニットと、
前記速度が前記所定速度以上である場合、ユーザインターフェースのロック状態を解除するように構成される解除ユニットと、を備えるロック解除装置。
【請求項８】
前記応答ユニットは、前記タッチ表示ユニットに、開始位置と終了位置を有する連続線を形成するように構成される軌跡形成ユニットを含むことを特徴とする
請求項７に記載の装置。
【請求項９】
前記応答ユニットは、開始位置でタイミングを開始し、終了位置でタイミングを停止させるように構成されるタイミングユニットをさらに含むことを特徴とする
請求項８に記載の装置。
【請求項１０】
前記速度が前記所定速度より小さい場合、前記装置は、タイミングユニットをクリアし、摺動軌跡を消去して、ユーザインターフェースのロック状態を維持するように制御するように構成される制御ユニットを更に備えることを特徴とする
請求項９に記載の装置。
【請求項１１】
前記第１計算ユニットは、さらに前記摺動軌跡における開始位置と終了位置が含まれるＭ個（Ｍは２以上かつ整数である）のタッチポイントの位置情報を取得するように構成され、また、前記Ｍ個のタッチポイントの位置情報に基づいて、前記Ｍ個のタッチポイントにおける隣接した２つのタッチポイントの間のサブ距離をそれぞれ計算して、Ｍ−１個の前記サブ距離を取得し、Ｍ−１個の前記サブ距離に基づいて、前記摺動軌跡の距離を取得するように構成されることを特徴とする
請求項８に記載の装置。
【請求項１２】
前記第１計算ユニットは、さらに、前記応答ユニットが前記タッチ表示ユニットに摺動軌跡を形成する場合、前記摺動軌跡をサンプリングし、前記Ｍ個のタッチポイントの位置情報を取得するように構成され、または、
第１計算ユニットは、さらに前記摺動軌跡の距離を計算する場合、前記摺動軌跡をサンプリングし、前記Ｍ個のタッチポイントの位置情報を取得することを特徴とする
請求項１１に記載の装置。
【請求項１３】
請求項７乃至１２のいずれか１項に記載のロック解除装置を備える電子端末。
【発明の詳細な説明】
【技術分野】
【０００１】
本発明は、コンピュータ技術分野に関し、特に、ロック解除方法、装置および電子端末に関する。
【背景技術】
【０００２】
電子機器の普及に伴い、より多くのユーザは、電子機器、特に、例えば携帯電話またはタブレットＰＣなどの手持ち式電子端末を使用し始め、このような電子端末をポケットに置くまたは長い時間で使用しない場合、多くの電気が無駄になり、且つ誤操作を引き起こしやすく、例えば容易にダイヤルキーや他のキーにタッチして、ユーザの使用に不便を与える。
【０００３】
上記の技術的問題を解決するために、電子機器に画像ロック機能を設けたので、使用の際にロックを解除する必要がある。ロック解除方法は、近年、ますます多様化の傾向を呈し、最初は物理的なボタンを有する携帯電話がキーの組み合わせによりロックを解除し、タッチパネル携帯電話が用いられるようになると、固定の軌跡に沿ってタッチ操作を行い、ロック解除素子を目標領域に移動させ、ブランク領域を充填するなどの複数種のロック解除方式が次第に発展している。同時に、人間の特徴に応じて携帯電話のロック解除を行い、例えば、顔、指紋、声などの特徴によってロックを解除することも徐々に従来技術として公衆に知られるに至っている。
【０００４】
例えば、タッチパネルに所定軌道または既定目標によってロック解除アイコンをドラッグしてロック解除を実現し、あるいは所定の表示経路によって画像のロックを解除する。ロック解除の判断方法としては、所定の手振りに対応し、タッチパネル上の移動している画像の動きを、タッチパネル上の予め定義された経路に対応させる接触が検出されたことである。
【０００５】
従来技術におけるロック解除方法により電子機器が画面ロック機能を備えているが、従来技術における方法においては、所定経路または手まねに依存してロック解除の判断根拠としなければならず、ロック解除インターフェース上に軌道または目標を設定することも複雑であり、操作が鈍くユーザ体験が悪かった。
【発明の概要】
【発明が解決しようとする課題】
【０００６】
本発明は、従来技術に存在していた、ロック解除インターフェースにおける所定経路の設定と、所定手振りまたは目標の設定が複雑である問題を解決するために、ロック解除方法、装置および電子端末を提供する。
【課題を解決するための手段】
【０００７】
本発明の一態様に係るロック解除方法は、タッチ表示ユニットを含み、前記タッチ表示ユニットによってユーザのタッチ入力操作を受信する電子端末に応用されるものである。前記電子端末がユーザインターフェースのロック状態にある場合、前記タッチ表示ユニットにおける操作体の操作を検出するステップと、前記操作に応答し、前記タッチ表示ユニットに摺動軌跡を形成し、前記摺動軌跡の形成時間を記録するステップと、前記摺動軌跡の距離を計算するステップと、前記距離と前記時間に基づいて、前記摺動軌跡の形成速度を計算するステップと、前記速度が所定速度以上であるかどうかを判断するステップと、前記速度が前記所定速度以上である場合、前記ユーザインターフェースのロック状態を解除するステップと、を含む。
【０００８】
好ましくは、前記タッチ表示ユニット上に摺動軌跡を形成するステップでは、前記タッチ表示ユニットに開始位置と終了位置を有する連続線を形成する。
【０００９】
好ましくは、前記電子端末は、タイミングユニットを更に備え、前記摺動軌跡の形成時間を記録するステップでは、前記タイミングユニットが前記開始位置でタイミングを開始し、前記終了位置でタイミングを停止する。
【００１０】
好ましくは、前記方法は、前記速度が前記所定速度より小さい場合、前記タイミングユニットをクリアし、前記摺動軌跡を消去して前記ユーザインターフェースのロック状態を維持するステップをさらに含む。
【００１１】
好ましくは、前記摺動軌跡の距離を計算するステップでは、前記摺動軌跡における前記開始位置と前記終了位置が含まれるＭ個（Ｍは２以上且つ整数である）のタッチポイントの位置情報を取得するステップと、前記Ｍ個のタッチポイントの位置情報に基づいて、前記Ｍ個のタッチポイントにおける隣接する２つのタッチポイントの間のサブ距離をそれぞれ計算し、Ｍ−１個の前記サブ距離を取得するステップと、前記Ｍ−１個の前記サブ距離に基づいて、前記摺動軌跡の距離を取得するステップと、を含む。
【００１２】
好ましくは、前記摺動軌跡におけるＭ個のタッチポイントの位置情報を取得するステップは、前記タッチ表示ユニットに摺動軌跡を形成する場合、前記摺動軌跡をサンプリングし、前記Ｍ個のタッチポイントの位置情報を取得し、または、前記摺動軌跡の距離を計算する場合、前記摺動軌跡をサンプリングし、前記Ｍ個のタッチポイントの位置情報を取得する。
【００１３】
本発明の他の態様に係るロック解除装置は、ユーザのタッチ入力操作を受信するように構成されるタッチ表示ユニットが含まれる電子端末に応用されるものであって、電子端末がユーザインターフェースのロック状態にある場合、タッチ表示ユニットにおける操作体の操作を検出するように構成される検出ユニットと、操作に応答し、前記タッチ表示ユニット上に摺動軌跡を形成し、前記摺動軌跡の形成時間を記録するように構成される応答ユニットと、前記摺動軌跡の距離を計算するように構成される第１計算ユニットと、前記距離と前記時間に基づいて、前記摺動軌跡の形成速度を計算するように構成される第２計算ユニットと、前記速度が所定速度以上であるかどうかを判断するように構成される判断ユニットと、前記速度が所定速度以上である場合、前記ユーザインターフェースのロック状態を解除するように構成される解除ユニットとを備える。
【００１４】
好ましくは、前記応答ユニットは、具体的に、タッチ表示ユニット上に、開始位置と終了位置を有する連続線を形成するように構成される軌跡形成ユニットを含む。
【００１５】
好ましくは、前記応答ユニットは、前記開始位置でタイミングを開始し、終了位置でタイミングを停止するように構成されるタイミングユニットをさらに含む。
【００１６】
好ましくは、前記速度が所定速度より小さい場合、前記装置は、前記タイミングユニットをクリアし、摺動軌跡を消去してユーザインターフェースのロック状態を維持するように制御するように構成される制御ユニットをさらに備える。
【００１７】
好ましくは、前記第１計算ユニットは、さらに、前記摺動軌跡における開始位置と終了位置が含まれるＭ個（Ｍは２以上かつ整数である）のタッチポイントの位置情報を取得するように構成され、また、前記Ｍ個のタッチポイントの位置情報に基づいて、前記Ｍ個のタッチポイントにおける隣接する２つのタッチポイントの間のサブ距離を計算して、Ｍ−１個のサブ距離を取得し、前記Ｍ−１個のサブ距離に基づいて、前記摺動軌跡の距離を取得するように構成される。
【００１８】
好ましくは、前記第１計算ユニットは、さらに、前記応答ユニットが前記タッチ表示ユニット上に摺動軌跡を形成する場合、前記摺動軌跡をサンプリングし、前記Ｍ個のタッチポイントの位置情報を取得するように構成され、または、前記第１計算ユニットは、さらに前記摺動軌跡の距離を計算する場合、前記摺動軌跡をサンプリングし、前記Ｍ個のタッチポイントの位置情報を取得するように構成される。
【００１９】
本発明の他の態様によれば、上述したロック解除装置を備える電子端末を提供する。
【発明の効果】
【００２０】
本発明の一実施形態では、タッチ表示ユニット上におけるユーザの摺動距離と摺動時間を用いて摺動速度を計算し、摺動速度が所定のロック解除判定速度以上の場合、ロックを解除することができ、従って、ユーザインターフェースがロック状態にある場合、タッチ表示ユニットをクリックすると、いかなる目標ポイントにも限定されることなく、任意の軌道に沿って摺動することができる。そのため、ロック解除インターフェース上に所定軌道および所定目標を設定する必要がなく、技術的複雑度が大幅に低下し、操作ももっと自由になり、ユーザ体験が向上する。同時に、摺動速度が所定速度値に達するかどうかを判定するまでは、ユーザインターフェースのロック状態を解除しないので、ロックの誤解除を効果的に回避できる。
【００２１】
さらに、本発明の一実施形態では、摺動速度が所定速度に達しない場合は、タイミングユニットをクリアし、摺動軌跡を消去してユーザインターフェースのロック状態を維持する。従って、ユーザが次回にロックを解除する場合、タイミングユニットがゼロからカウント動作を開始してタイミングし、その後、新たに摺動軌跡を形成して摺動速度を計算することができる。
【図面の簡単な説明】
【００２２】
【図１】本発明の一実施形態に係るロック解除方法のフローチャートである；
【図２】本発明の一実施形態に係る摺動速度を計算することを示す図である；
【図３】本発明の一実施形態に係るロック解除装置の機能ブロック図である。
【発明を実施するための形態】
【００２３】
本発明の一実施形態では、ユーザのタッチ入力操作を受信することができるタッチ表示ユニットが含まれる電子端末に応用されるロック解除方法が提供されている。当該電子端末は、例えば携帯電話、タブレットＰＣまたは他の手持ち式端末などである。図１を参照されたい。図１は本実施形態におけるロック解除方法のフローチャートである。
【００２４】
図１に示すように、当該方法は、
電子端末がユーザインターフェースのロック状態にある場合、タッチ表示ユニットにおける操作体の操作を検出するステップ１０１と、
操作に応答し、タッチ表示ユニットに摺動軌跡を形成し、摺動軌跡の形成時間を記録するステップ１０２と、
摺動軌跡の距離を計算するステップ１０３と、
距離と時間に基づいて、摺動軌跡の形成速度を計算するステップ１０４と、
速度が所定速度以上であるかどうかを判断するステップ１０５と、
速度が所定速度以上である場合、ユーザインターフェースのロック状態を解除するステップ１０６と、を含む。
【００２５】
ここで、ステップ１０１において、電子端末は、さらにユーザインターフェースのロック状態にある場合、ユーザがユーザインターフェースのロック状態を解除するため、操作体、例えば指またはタッチペンでタッチ表示ユニットに操作することができ、例えばユーザが指でタッチ表示ユニット上を摺動することができ、この場合に当該摺動に応答し、タッチ表示ユニットに任意形状の摺動軌跡を形成し、当該摺動軌跡が直線でタッチ表示ユニット上に表示されてよく、タッチ表示ユニット上に表示されなくてもよく、当該摺動軌跡が連続線であり、かつ開始位置と終了位置を有する。さらに、当該摺動に応答し、指がタッチ表示ユニットの開始位置に位置すると検出した場合、タイミングを開始し、例えば、タイミングユニットでタイミングが実行され、ここで、タッチ表示ユニット上の開始位置の位置がタッチ表示ユニット上の任意位置であってもよく、即ち、当該開始位置がタッチ表示ユニット上の任意位置をクリックして生成されるタッチポイントであってもよい。
【００２６】
その後、指がタッチ表示ユニットの終了位置に位置すると検出した場合、タイミングを停止させる。ユーザが今回の操作を停止したかどうかを判定することにより、終了位置が存在するかどうかを検出することができ、具体的に、例えば、指がタッチ表示ユニットから離れたかどうかを判定することができ、指がタッチ表示ユニットから離れた場合、指が離れるときに対応するタッチポイントは、終了位置である。他の実施形態において、ユーザが摺動を停止させるかどうかを検出することができ、肯定（ＹＥＳ）であれば、指が摺動を停止する際に対応しているタッチポイントは、終了位置である。
【００２７】
さらに、他の実施例において、指がタッチ表示ユニット上を摺動する場合、摺動軌跡におけるタッチポイントの位置情報、例えば、座標値を記録する。すべてのタッチポイントの位置情報を記録することができ、あるいはサンプリングして摺動軌跡におけるＭ個のタッチポイントの位置情報のみを記録してもよい。ここで、Ｍは２以上でかつ整数であり、且つＭ個のタッチポイントの位置情報には開始位置と終了位置が含まれる。ここで、具体的なサンプリング周波数は、異なるタッチ表示ユニットによって少し異なり、一般的に５０〜２００ヘルツであり、各時点に三次元データ：（ｘ，ｙ，ｓｗ）が含まれ、ｘ、ｙがそれぞれ現在のタッチポイントの横座標と縦座標であり、ｓｗが圧力を反映する二値信号であり、現在の操作体が落下状態であるか持ち上がる状態であるかを識別することに用いられる。
【００２８】
続いて、ステップ１０３を実行し、摺動軌跡の距離を計算する。当業者が本発明をより明確に理解するために、以下、具体的な例を挙げて具体的に説明し、ここで、電子端末については携帯電話を例として説明する。
【００２９】
図２を参照すると、例えば、携帯電話２０は、タッチ表示ユニット２００を含み、この場合に携帯電話２０は、ユーザインターフェースのロック状態にあり、ユーザは、タッチ表示ユニット上を摺動し、摺動軌跡２０１が形成され、本実施例において、摺動軌跡２０１は、タッチ表示ユニット２００上に表示される。
【００３０】
本ステップにおいて、まず上述した方法で、摺動軌跡におけるＭ個のタッチポイントの位置情報を取得し、次にＭ個のタッチポイントにおいて隣接した２つのタッチポイントの間のサブ距離をそれぞれ計算して、Ｍ−１個のサブ距離を取得することができ、さらに、Ｍ−１個のサブ距離に基づいて、摺動軌跡の距離を取得し、例えばすべてのサブ距離を加算すれば、摺動軌跡の距離を取得できる。
【００３１】
例えば、図２を参照すると、摺動軌跡２００をサンプリングして、タッチポイントＡ、タッチポイントＢおよびタッチポイントＣの位置情報を取得する。ここで、タッチポイントＡは、摺動軌跡２００の開始位置に対応し、タッチポイントＢは、摺動軌跡２００の終了位置に対応し、タッチポイントＡの位置情報が（ｘ１，ｙ１）であり、タッチポイントＣの位置情報が（ｘ２，ｙ２）である。その後、式Ｄ１＝ｓｑｒｔ [（ｘ２−ｘ１）＾２ ＋ (ｙ２−ｙ１)＾２ ]を利用してタッチポイントＡとタッチポイントＣの間の直線距離Ｄ１を計算し、同様に、タッチポイントＣとタッチポイントＢの間の距離Ｄ２を計算し、その後、直線距離Ｄ１と直線距離Ｄ２を加算し、最終に摺動軌跡２００の軌跡長さ即ち距離２０２を取得する。これにより、摺動軌跡においてサンプリングされたタッチポイントが多いほど計算された摺動距離は精確になる。
【００３２】
本実施形態において、ステップ１０３は、ステップ１０２と同時に実行されてよいし、ステップ１０２の後に実行されてもよい。ステップ１０３がステップ１０２の後に実行される場合、サンプリングは、摺動軌跡の距離を計算する必要がある場合に実行されることができ、即ち、ステップ１０２の後に実行されることができる。
【００３３】
本実施形態において、摺動軌跡をサンプリングして、複数のタッチポイントの位置情報を取得し、その後、隣接している２つのタッチポイントの間の距離を計算し、これらの距離を加算して、摺動軌跡の距離を取得する方式が採用されている。他の実施形態において、当業者は、他の方式、例えばピクセルを数えるという方式で摺動軌跡の距離を計算することができる。タッチ表示ユニットにおいて１つのピクセル行列を有するので、ピクセルを数えることで摺動軌跡の距離を取得することができる。
【００３４】
その後、ステップ１０４を実行し、即ち、摺動軌跡の距離と時間に基づいて、摺動軌跡の形成速度、即ち、指がタッチ表示ユニット上を摺動する速度を計算する。
【００３５】
さらにステップ１０５を実行し、摺動速度が所定速度以上であるかどうかを判断し、当該所定速度を実際の状況に応じてユーザが設定することができ、このようにして誤操作を回避することができる。
【００３６】
ステップ１０５の判断結果が肯定（ＹＥＳ）であれば、ステップ１０６を実行し、即ち、ユーザインターフェースのロック状態を解除する。
【００３７】
さらなる実施形態において、ステップ１０５の判断結果がＮＯであれば、ステップ１０７を実行し、即ち、タイミングユニットをクリアし、摺動軌跡を消去してユーザインターフェースのロック状態を維持して、次回のロック解除に便宜を与える。
【００３８】
上述したように、本発明の実施形態においてタッチ表示ユニット上の任意位置をクリックして自由に摺動し、位置および方向の制限がなく、従って技術的複雑度が低下し、ユーザの操作に便利を与え、ユーザ体験が向上する。
【００３９】
本発明の他の実施形態に係るロック解除装置は、例えば、上述した実施形態に係るロック解除方法を実現することに用いられる。図３を参照すると、図３は本実施形態に係るロック解除装置の機能ブロック図である。
【００４０】
図３に示すように、当該装置は、電子端末がユーザインターフェースのロック状態にある場合、タッチ表示ユニットにおける操作体の操作を検出するための検出ユニット３０１と、操作に応答し、タッチ表示ユニット上に摺動軌跡を形成し、摺動軌跡の形成時間を記録するための応答ユニット３０２と、摺動軌跡の距離を計算するための第１計算ユニット３０３と、距離と時間に基づいて、摺動軌跡の形成速度を計算するための第２計算ユニット３０４と、速度が所定速度以上であるかどうかを判断するための判断ユニット３０５と、速度が所定速度以上である場合、ユーザインターフェースのロック状態を解除するための解除ユニット３０６と、を備える。
【００４１】
ここで、応答ユニット３０２は、具体的に、タッチ表示ユニット上に開始位置と終了位置を有する連続線を形成するための軌跡形成ユニットを含む。
【００４２】
さらに、応答ユニットは、開始位置でタイミングを開始し、終了位置でタイミングを停止させるためのタイミングユニットをさらに含む。
【００４３】
他の実施形態において、速度が所定速度より小さい場合、当該装置は、タイミングユニットをクリアし、摺動軌跡を消去してユーザインターフェースのロック状態を維持するように制御するための制御ユニットをさらに備える。
【００４４】
一実施形態において、第１計算ユニット３０３は、さらに摺動軌跡における、開始位置と終了位置が含まれるＭ（Ｍは２以上でかつ整数である）個のタッチポイントの位置情報を取得することに用いられ、また、Ｍ個のタッチポイントの位置情報に基づいて、Ｍ個のタッチポイントにおいて隣接した２つのタッチポイントの間のサブ距離を計算して、Ｍ−１個のサブ距離を取得し、Ｍ−１個のサブ距離に基づいて、摺動軌跡の距離を取得することに用いられる。
【００４５】
さらに、第１計算ユニット３０３は、さらに応答ユニット３０２がタッチ表示ユニット上に摺動軌跡を形成する場合、摺動軌跡をサンプリングし、Ｍ個のタッチポイントの位置情報を取得することに用いられ、または、
第１計算ユニット３０３は、さらに摺動軌跡の距離を計算する場合、摺動軌跡をサンプリングし、Ｍ個のタッチポイントの位置情報を取得することに用いられる。
【００４６】
上記の第１の実施形態と第２の実施形態におけるロック解除方法の様々な変化方式は、同様に本実施形態におけるロック解除装置に適用される。以上、ロック解除方法を詳しく説明したことにより、当業者は、本実施形態におけるロック解除装置の実施方法を明確に理解することができるので、明細書の簡潔化のためこれ以上詳述しない。
【００４７】
本発明の他の実施形態に係る前記ロック解除装置が含まれる電子端末は、タッチ表示ユニットを有し、例えば携帯電話、タブレットＰＣ、ノートパソコンやスマートテレビである。
【００４８】
当業者にとっては、本発明の実施形態が方法、システムまたはコンピュータプログラム製品として提供されることができることが理解される。従って、本発明は、完全なハードウェアの実施形態、完全なソフトウェアの実施形態、またはハードウェアとソフトウェアが組み合わせられた実施形態という形態を採用することができる。また、本発明は、コンピュータ使用可能プログラムコードが含まれる１つ以上のコンピュータ利用可能記憶媒体（ディスク記憶装置、光学記憶装置などを含むがこれらに限られない）に実行されるコンピュータプログラム製品の形態を採用することができる。
【００４９】
本発明は、本発明の実施形態に係る方法、機器（システム）、およびコンピュータプログラムのフローチャートおよび／またはブロック図を参照しながら説明されるものである。コンピュータプログラムコマンドによりフローチャートおよび／またはブロック図における各プロセスおよび／またはブロック、および、フローチャートおよび／またはブロック図におけるプロセスおよび／またはブロックの組み合わせを実現することができると理解すべきである。これらのコンピュータプログラムコマンドを汎用コンピュータ、専用コンピュータ、組み込み型プロセッサまたは他のプログラム可能なデータ処理装置のプロセッサに提供して１つの機器を生成することができ、それによってコンピュータまたは他のプログラム可能なデータ処理装置のプロセッサより実行されるコマンドは、フローチャートの１つ以上のプロセスおよび／またはブロック図の１つ以上のブロックに指定される機能を実現するための装置を生成する。
【００５０】
これらのコンピュータプログラムコマンドは、コンピュータまたは他のプログラム可能なデータ処理装置が特定の方式で動作するようにガイドすることができるコンピュータ読み取り可能なメモリに記憶されることができる。このように、当該コンピュータ読み取り可能なメモリに記憶されているコマンドは、コマンド装置が含まれる製造品を生成させ、当該コマンド装置は、フローチャートの１つ以上のプロセス、および／または、ブロック図の１つ以上のブロックに指定される機能を実現する。
【００５１】
また、これらのコンピュータプログラムコマンドは、コンピュータまたは他のプログラム可能なデータ処理装置に搭載されることができる。このように、コンピュータまたは他のプログラム可能な処理装置に一連の操作ステップを実行してコンピュータより実現される処理を生成する。このように、コンピュータまたは他のプログラム可能な装置で実行されるコマンドは、フローチャートの１つ以上のプロセス、および／または、ブロック図の１つ以上のブロックに指定される機能を実現するためのステップを提供する。
【００５２】
本発明の一実施形態において、タッチ表示ユニットのユーザの摺動距離と摺動時間を利用して摺動速度を計算し、摺動速度が所定のロック解除判定速度以上である場合、ロックを解除することができる。従って、ユーザインターフェースのロック状態にある場合、タッチ表示ユニットをクリックすると、任意の軌道に沿って摺動することができ、いかなる目標ポイントにも限定されない。そのため、ロック解除インターフェースに所定軌道および所定目標を設定する必要がなく、技術的複雑度が大幅に低下し、操作はより自由になり、ユーザ体験が向上する。同時に、摺動速度が所定速度値に達するかどうかを判定しない限りユーザインターフェースのロック状態を解除しないので、ロックの誤解除を効果的に回避することができる。
【００５３】
さらに、本発明の一実施形態において、摺動速度が所定速度に達しない場合、タイミングユニットをクリアして、摺動軌跡を消去し、ユーザインターフェースのロック状態を維持するので、ユーザが次回にロックを解除する場合、タイミングユニットは、ゼロからタイミングし、その後新たに摺動軌跡を形成して摺動速度を計算する。
【００５４】
明らかに、当業者にとっては、本発明の精神および範囲から逸脱することなく、本発明に対して様々な変更と変形を行うことができる。このようにして、本発明のこれらの変更と変形が本発明の特許請求の範囲およびその均等物の範囲内に含まれるのであれば、本発明もこれらの変更と変形を含むことを意図する。
【図１】
0005947973.tif 000002
【図２】
0005947973.tif 000003
【図３】
0005947973.tif 000004